(57)【特許請求の範囲】
【請求項１】
互いに対向する光入射面および光射出面を有し、所定の波長帯の光を吸収して第１原色、第２原色、第３原色のうちのいずれかの色の光を発光する蛍光体層を備え、
前記蛍光体層は、母材の一部を付活剤で置換することにより形成された蛍光体を含んで構成されており、かつ前記所定の波長帯の光に対して、前記光入射面側の方が前記光射出面側の方よりも前記蛍光体の光吸収率が高く、かつ前記蛍光体の内部量子効率が低くなるように構成されている
蛍光素子。
【請求項２】
前記蛍光体層は、前記光入射面において前記蛍光体の光吸収率が最も高くかつ前記蛍光体の内部量子効率が最も低くなるとともに、前記光入射面から前記光射出面に向かって、前記蛍光体の光吸収率が減少し、前記蛍光体の内部量子効率が増大するように構成されている
請求項１に記載の蛍光素子。
【請求項３】
前記蛍光体層は、前記蛍光体の光吸収率および前記蛍光体の内部量子効率が互いに異なる複数の層を積層して構成されている
請求項２に記載の蛍光素子。
【請求項４】
前記蛍光体層は、前記光射出面側の方が前記光入射面側の方よりも前記蛍光体内の付活剤の濃度が低くなるように構成されている
請求項１ないし請求項３のいずれか一項に記載の蛍光素子。
【請求項５】
前記蛍光体層は、前記蛍光体内の付活剤の濃度が前記光入射面において最も高くなるとともに、前記光入射面から前記光射出面に向かって、前記蛍光体内の付活剤の濃度が減少し、前記光射出面において最も低くなるように構成されている
請求項４に記載の蛍光素子。
【請求項６】
前記蛍光体層は、前記蛍光体内の付活剤の濃度が互いに異なる複数の層を積層して構成されている
請求項５に記載の蛍光素子。
【請求項７】
互いに対向する光入射面および光射出面を有し、所定の波長帯の光を吸収して第１原色、第２原色、第３原色のうちのいずれかの色の光を発光する蛍光体層を備え、
前記蛍光体層は、母材の一部を付活剤で置換することにより形成された蛍光体を含んで構成されており、かつ前記光射出面側の方が前記光入射面側の方よりも前記蛍光体内の付活剤の濃度が低くなるように構成されている
蛍光素子。
【請求項８】
前記蛍光体層は、前記蛍光体内の付活剤の濃度が前記光入射面において最も高くなるとともに、前記光入射面から前記光射出面に向かって、前記蛍光体内の付活剤の濃度が減少し、前記光射出面において最も低くなるように構成されている
請求項７に記載の蛍光素子。
【請求項９】
前記蛍光体層は、前記蛍光体内の付活剤の濃度が互いに異なる複数の層を積層して構成されている
請求項８に記載の蛍光素子。
【請求項１０】
前記蛍光体層は、前記光入射面側の方が前記光射出面側の方よりも、前記蛍光体の外部量子効率が高くなるように構成されている
請求項１、請求項２、請求項３、請求項７、請求項８または請求項９のいずれか一項に記載の蛍光素子。
【請求項１１】
前記蛍光体層は、前記蛍光体の外部量子効率が前記光入射面において最も高くなるとともに前記光射出面において最も低くなるように構成されている
請求項１０に記載の蛍光素子。
【請求項１２】
前記蛍光体層は、３８０ｎｍ〜４２０ｎｍの波長帯の光を吸収し、吸収した光の波長よりも大きな波長の光を発光するようになっており、
当該蛍光素子は、前記蛍光体層との関係で前記光入射面側に、３８０ｎｍ〜４２０ｎｍの波長帯の光を透過させ、前記蛍光体層で発光した光を反射するフィルタ層をさらに備えた
請求項１、請求項２、請求項３、請求項７、請求項８または請求項９のいずれか一項に記載の蛍光素子。
【請求項１３】
前記蛍光体層は、３８０ｎｍ〜４２０ｎｍの波長帯の光を吸収し、吸収した光の波長よりも大きな波長の光を発光するようになっており、
当該蛍光素子は、前記蛍光体層との関係で前記光射出面側に、３８０ｎｍ〜４２０ｎｍの波長帯の光を反射または吸収し、前記蛍光体層で発光した光を透過させるフィルタ層をさらに備えた
請求項１、請求項２、請求項３、請求項７、請求項８または請求項９のいずれか一項に記載の蛍光素子。
【請求項１４】
所定の波長帯の光を発する面発光源と、
前記面発光源の直上に、前記面発光源と所定の空隙を介して対向配置され、かつ前記面発光源からの光を波長変換する蛍光素子と
を備え、
前記蛍光素子は、
互いに対向する光入射面および光射出面を有し、所定の波長帯の光を吸収して第１原色、第２原色、第３原色のうちのいずれかの色の光を発光する蛍光体層を有し、
前記蛍光体層は、母材の一部を付活剤で置換することにより形成された蛍光体を含んで構成されており、かつ前記所定の波長帯の光に対して、前記光入射面側の方が前記光射出面側の方よりも前記蛍光体の光吸収率が高く、かつ前記蛍光体の内部量子効率が低くなるように構成されている
照明装置。
【請求項１５】
前記蛍光体層は、前記光射出面側の方が前記光入射面側の方よりも前記蛍光体内の付活剤の濃度が低くなるように構成されている
請求項１４に記載の照明装置。
【請求項１６】
所定の波長帯の光を発する面発光源と、
前記面発光源の直上に、前記面発光源と所定の空隙を介して対向配置され、かつ前記面発光源からの光を波長変換する蛍光素子と
を備え、
前記蛍光素子は、
互いに対向する光入射面および光射出面を有し、所定の波長帯の光を吸収して第１原色、第２原色、第３原色のうちのいずれかの色の光を発光する蛍光体層を有し、
前記蛍光体層は、母材の一部を付活剤で置換することにより形成された蛍光体を含んで構成されており、かつ前記光射出面側の方が前記光入射面側の方よりも前記蛍光体内の付活剤の濃度が低くなるように構成されている
照明装置。
【請求項１７】
映像信号に基づいて駆動される表示パネルと、
前記表示パネルを背後から照明するとともに、所定の波長帯の光を発するバックライトと
を備え、
前記表示パネルは、第１偏光板、第１基板、液晶層、第２基板、第２偏光板および蛍光素子を前記バックライト側から順に有し、
前記蛍光素子は、
互いに対向する光入射面および光射出面を有し、所定の波長帯の光を吸収して第１原色、第２原色、第３原色のうちのいずれかの色の光を発光する蛍光体層を有し、
前記蛍光体層は、母材の一部を付活剤で置換することにより形成された蛍光体を含んで構成されており、かつ前記所定の波長帯の光に対して、前記光入射面側の方が前記光射出面側の方よりも前記蛍光体の光吸収率が高く、かつ前記蛍光体の内部量子効率が低くなるように構成されている
表示装置。
【請求項１８】
前記蛍光体層は、前記光射出面側の方が前記光入射面側の方よりも前記蛍光体内の付活剤の濃度が低くなるように構成されている
請求項１７に記載の表示装置。
【請求項１９】
映像信号に基づいて駆動される表示パネルと、
前記表示パネルを背後から照明するとともに、所定の波長帯の光を発するバックライトと
を備え、
前記表示パネルは、第１偏光板、第１基板、液晶層、第２基板、第２偏光板および蛍光素子を前記バックライト側から順に有し、
前記蛍光素子は、
互いに対向する光入射面および光射出面を有し、所定の波長帯の光を吸収して第１原色、第２原色、第３原色のうちのいずれかの色の光を発光する蛍光体層を有し、
前記蛍光体層は、母材の一部を付活剤で置換することにより形成された蛍光体を含んで構成されており、かつ前記光射出面側の方が前記光入射面側の方よりも前記蛍光体内の付活剤の濃度が低くなるように構成されている
表示装置。
【発明の詳細な説明】
【技術分野】
【０００１】
本発明は、蛍光体を含む蛍光素子、ならびにそれを備えた照明装置および表示装置に関する。
【背景技術】
【０００２】
従来の液晶表示装置では、冷陰極管や白色ＬＥＤ（Light Emitting Diode）などを光源とするバックライトからの光が液晶層にてサブピクセルごとに変調されたのち、カラーフィルタを通過することにより、カラー表示が行われる。白色ＬＥＤは、冷陰極管と比べて長寿命であり、低損失であることから、特に中小型の液晶表示装置のバックライトの光源として多く用いられている。
【０００３】
ところで、バックライトの光源として使用される白色ＬＥＤは、一般的には、青色ＬＥＤと、黄色蛍光体とを組み合わせたもので構成されている。このような構成の白色ＬＥＤでは、青色ＬＥＤから青色光が発せられるとともに、青色ＬＥＤから発せられた青色光が黄色蛍光体で黄色光に変換されたのち、これら２色の光が混合されることにより白色光が得られる。なお、蛍光体として、黄色蛍光体および赤色蛍光体が用いられている場合には、青色光、黄色光および赤色光の３色の光が混合されることにより白色光が得られる。しかし、上記の白色ＬＥＤでは、蛍光体は、青色ＬＥＤを覆う封止樹脂の中に埋め込まれているので、青色ＬＥＤの発熱により蛍光体の発光効率が低下する。従って、白色ＬＥＤでは、冷陰極管と比べると光損失は少ないが、いわゆる温度消光による光損失が多い。
【０００４】
また、液晶表示装置に使用されるカラーフィルタでは、特定の波長帯（例えば、赤色波長帯、緑色波長帯または青色波長帯）の光だけが透過され、それ以外の光が遮断される。そのため、光エネルギーの多くが内部損失となっている。以上のことから、白色ＬＥＤを光源として用いた液晶表示装置では、温度消光による光損失と、カラーフィルタによる光損失とにより、光利用効率が低いという問題があった。
【０００５】
そこで、従来から、多くの方策が提案されている。例えば、特許文献１では、バックライトの光源として紫外光源を用い、カラーフィルタの代わりに、赤色、緑色および青色の各色の蛍光体層を設けることが提案されている。また、例えば、特許文献２では、バックライトの光源として青色ＬＥＤを用い、青色光については青色ＬＥＤから発せられた光をそのまま用い、赤色光および緑色光については、青色ＬＥＤから発せられた光を赤色および緑色の蛍光体層で色変換することによる得ることが提案されている。
【０００６】
しかし、特許文献１では、液晶表示装置内の各種構成部材において紫外光の透過率が可視光の透過率よりも低いので、光利用効率を高くするのが容易ではないという問題がある。また、液晶表示装置内の各種構成部材において紫外光が吸収されると、各種構成部材の劣化が進行し、各種構成部材の信頼性が低下するという新たな問題が生じる。また、紫外光は人体に悪影響を及ぼす虞があるので、紫外光の漏れ光を遮断するフィルタを設けることが必要となり、さらに、紫外光を発生させる光源として、高価な高圧水銀ランプやブラックライトを使用することが必要となる。従って、製造コストが高騰するという問題もある。
【０００７】
また、特許文献２では、青色光については、青色ＬＥＤから発せられた光がそのまま用いられているので、青色光の視野角特性が他の色の視野角特性と異なってしまうという問題がある。もっとも、その問題については、特許文献３に記載されているように、青色ＬＥＤから発せられた光の視野角を補正する青色光ルミネセンスＮＤ層を設けることにより、改善することが可能である。しかし、そのようにした場合であっても、青色光ルミネセンスＮＤ層によって視野角特性を完全に補正することは難しく、しかも、青色光ルミネセンスＮＤ層による光損失が発生してしまう。
【０００８】
そこで、本願発明者らは、バックライトの光源として、ピーク波長が３８０ｎｍ〜４２０ｎｍの波長帯内にある光源を用い、その光を赤色、緑色および青色の各色の蛍光体層に照射することにより、カラー表示を行うことを特許文献４において提案している。なお、上述の光源としては、例えば、ピーク波長が４０５ｎｍのブルーレイＤＶＤ（Digital Versatile Disc）用の光源が挙げられる。
【先行技術文献】
【特許文献】
【０００９】
【特許文献１】特開平０８−０３６１５８号公報
【特許文献２】特開２００３−００５１８２号公報
【特許文献３】特開２００６−３０１６３２号公報
【特許文献４】特開２０１０−２５０２５９号公報
【発明の概要】
【発明が解決しようとする課題】
【００１０】
ところで、赤色、緑色および青色の各色の蛍光体層に含まれる蛍光体の付活剤には、一般に、希土類元素が使用されている。希土類元素は、資源として中国等の地域に偏在しており、輸出制限や価格高騰などのリスクを有している。そのため、蛍光体層に含まれる付活剤の量をできるだけ少なくすることが、上記リスクの低減の観点から好ましい。しかし、蛍光体層内の単位体積当たりの付活剤の量（つまり、付活剤濃度）には最適な量があり、付活剤濃度は、通常、外部量子効率が最大となる量に設定されている。そのため、蛍光体層に含まれる付活剤の量を単純に少なくした場合には、外部量子効率が最大値よりも小さくなり、光取出効率が低くなってしまう虞がある。
【００１１】
本発明はかかる問題点に鑑みてなされたもので、その目的は、付活剤の使用量を抑えつつ、光取出効率の低下を最低限に抑えるか、もしくは、付活剤の使用量を今までと同程度（つまり外部量子効率が最大となる量）とした場合と同程度の光取出効率を実現することの可能な蛍光素子ならびにそれを備えた照明装置および表示装置を提供することにある。
【課題を解決するための手段】
【００１２】
本発明の第１の蛍光素子は、互いに対向する光入射面および光射出面を有し、所定の波長帯の光を吸収して第１原色、第２原色、第３原色のうちのいずれかの色の光を発光する蛍光体層を備えたものである。蛍光体層は、母材の一部を付活剤で置換することにより形成された蛍光体を含んで構成されている。蛍光体層は、さらに、所定の波長帯の光に対して、光入射面側の方が光射出面側の方よりも蛍光体の光吸収率が高く、かつ蛍光体の内部量子効率が低くなるように構成されている。
【００１３】
本発明の第１の照明装置は、所定の波長帯の光を発する面発光源と、面発光源からの光を波長変換する蛍光素子とを備えたものである。蛍光素子は、面発光源の直上に、面発光源と所定の空隙を介して対向配置されており、上記の第１の蛍光素子と同一の構成要素を有している。
【００１４】
本発明の第１の表示装置は、映像信号に基づいて駆動される表示パネルと、表示パネルを背後から照明すると共に、所定の波長帯の光を発するバックライトとを備えたものである。表示パネルは、第１偏光板、第１基板、液晶層、第２基板、第２偏光板および蛍光素子をバックライト側から順に有している。蛍光素子は、上記の第１の蛍光素子と同一の構成要素を有している。
【００１６】
本発明の第１の蛍光素子、第１の照明装置および第１の表示装置では、蛍光体層において、光入射面側の部位が光射出面側の部位よりも、蛍光体の光吸収率が高くなっており、かつ蛍光体の内部量子効率が低くなっている。これにより、蛍光体層の光入射側の部位において、入射光が高率で吸収され、所定の波長の光が発せられる。ここで、蛍光体層の光射出側では、蛍光体の光吸収率が低く、かつ蛍光体の内部量子効率が高くなっている。そのため、蛍光体層全体における蛍光体の光吸収率および内部量子効率が本発明における蛍光体層の光入射側の蛍光体の光吸収率および内部量子効率と同程度となっている場合と比べると、蛍光体層の光入射側で発生した光が、蛍光体層の光射出側に位置する蛍光体によって進行を阻害される割合が少ない。さらに、蛍光体層に入射した光が蛍光体層の光射出側にまで透過してくる量が多くなるので蛍光体層の光射出側の部位での発光量が多くなる。
【００１７】
本発明の第２の蛍光素子は、互いに対向する光入射面および光射出面を有し、所定の波長帯の光を吸収して第１原色、第２原色、第３原色のうちのいずれかの色の光を発光する蛍光体層を備えたものである。蛍光体層は、光射出面側の方が光入射面側の方よりも蛍光体内の付活剤の濃度が低くなるように構成されている。
【００１８】
本発明の第２の照明装置は、所定の波長帯の光を発する面発光源と、面発光源からの光を波長変換する蛍光素子とを備えたものである。蛍光素子は、面発光源の直上に、面発光源と所定の空隙を介して対向配置されており、上記の第２の蛍光素子と同一の構成要素を有している。
【００１９】
本発明の第２の表示装置は、映像信号に基づいて駆動される表示パネルと、表示パネルを背後から照明すると共に、所定の波長帯の光を発するバックライトとを備えたものである。表示パネルは、第１偏光板、第１基板、液晶層、第２基板、第２偏光板および蛍光素子をバックライト側から順に有している。蛍光素子は、上記の第２の蛍光素子と同一の構成要素を有している。
【００２１】
本発明の第２の蛍光素子、第２の照明装置および第２の表示装置では、蛍光体層において、光射出面側の方が光入射面側の方よりも、蛍光体内の付活剤の濃度が低くなっている。これにより、蛍光体層全体における蛍光体内の付活剤の濃度が本発明における蛍光体層の光入射側の蛍光体内の付活剤の濃度と同程度となっている場合と比べると、蛍光体層の光入射側で発生した光が、蛍光体層の光射出側に位置する蛍光体によって進行を阻害される割合が少ない。さらに、蛍光体層に入射した光が蛍光体層の光射出側にまで透過してくる量が多くなるので蛍光体層の光射出側の部位での発光量が多くなる。
【００２２】
また、本発明の第１および第２の照明装置では、蛍光素子は、面発光源と所定の空隙を介して対向配置されている。これにより、面発光源の熱が蛍光素子に直接に伝わらないので、蛍光素子が高温になるのを抑制することができ、温度消光を少なくすることができる。また、本発明の第１および第２の照明装置、第１および第２の表示装置では、所定の色のカラー表示のために色変換効率の良い蛍光素子が用いられているので、光損失の大きなカラーフィルタは不要である。
【００２３】
ところで、本発明の第１および第２の表示装置において、バックライトが３８０ｎｍ〜４２０ｎｍの波長帯の光を発するようになっており、かつ蛍光体層が、３８０ｎｍ〜４２０ｎｍの波長帯の光を吸収し、吸収した光の波長よりも大きな波長の光を発光するようになっていることが好ましい。通常、表示装置に使用される各種透明部材は、３８０ｎｍよりも短い波長帯の光を吸収し易く、３８０ｎｍ以上の波長帯の光を透過し易い。そのため、バックライトおよび蛍光体層が上述の構成となっている場合に、表示装置に各種透明部材が用いられているときには、表示装置内の各種透明部材による光吸収を抑制することができる。また、紫外光の吸収によって生じるような表示装置内の各種透明部材に対するダメージを低減することもできる。
【発明の効果】
【００２４】
本発明の第１および第２の蛍光素子、第１および第２の照明装置、ならびに第１および第２の表示装置によれば、蛍光体層の光入射側で発生した光が、蛍光体層の光射出側に位置する蛍光体によって進行を阻害される割合が少なくなるようにしたので、付活剤の使用量を抑えつつ、光取出効率の低下を最低限に抑えるか、または、付活剤の使用量を今までと同程度とした場合（つまり、蛍光体層全体における付活剤の濃度が本発明における蛍光体層の光入射側の付活剤の濃度と同程度となっている場合）と同程度の光取出効率を実現することができる。
【図面の簡単な説明】
【００２５】
【図１】本発明の一実施の形態に係る表示装置の構成の一例を表す上面図および断面図である。
【図２】図１のバックライトの構成の一例を表す断面図である。
【図３】図１の液晶表示パネルの各画素の構成の一例を表す断面図である。
【図４】図３の蛍光素子の構成の一例を表す断面図である。
【図５】図３の蛍光素子の構成の他の例を表す断面図である。
【図６】蛍光体内の付活剤の濃度と、光吸収率、内部量子効率および外部量子効率との関係の一例を表す関係図である。
【図７】蛍光体層に対して光を入射させたときに蛍光体層から出てくる光の種類について説明するための模式図である。
【図８】蛍光体層が単層構造となっているときの蛍光体層およびフィルタ層の作用について説明するための模式図である。
【図９】蛍光体層が積層構造となっているときの蛍光体層およびフィルタ層の作用について説明するための模式図である。
【図１０】一変形例に係る照明装置の構成の一例を表す断面図である。
【図１１】一適用例に係る電子機器の構成の一例を表す斜視図である。
【発明を実施するための形態】
【００２６】
以下、発明を実施するための形態について、図面を参照して詳細に説明する。なお、説明は以下の順序で行う。
１．実施の形態（表示装置）
液晶表示パネルに蛍光素子が設けられている例（図１〜図９）
２．変形例（照明装置）
バックライト上に蛍光素子が設けられている例（図１０）
３．適用例（電子機器）
映像表示のために上記表示装置が用いられている例（図１１）
【００２７】
＜１．実施の形態＞
[構成]
図１（Ａ）は、本発明の一実施の形態に係る表示装置１の上面構成の一例を表すものである。図１（Ｂ）は、図１（Ａ）の表示装置１のＡ−Ａ矢視方向の断面構成の一例を表すものである。なお、図１（Ａ），（Ｂ）は模式的に表したものであり、実際の寸法、形状と同一とは限らない。
【００２８】
表示装置１は、例えば、図１（Ａ），（Ｂ）に示したように、バックライト１０と、液晶表示パネル２０とを備えたものである。この表示装置１において、バックライト１０は液晶表示パネル２０の背後に配置されている。液晶表示パネル２０の表面のうち所定の領域（後述のシール材６０で囲まれた領域と対向する部分）が各種画像やデータ等を表示する表示領域１Ａとなっており、液晶表示パネル２０の表面のうち表示領域１Ａの周縁が非表示領域１Ｂとなっている。
【００２９】
（バックライト１０）
バックライト１０は、例えば、図２（Ａ）に示したように、光源１１と、反射板１２と、光学シート１３とを有している。ここで、光源１１は、例えば、一の面内に配置された複数の点状光源からなる。各点状光源は、３８０ｎｍ〜４２０ｎｍの波長帯の光を発するものからなり、例えば、ピーク波長が３８０ｎｍ〜４２０ｎｍの範囲内にあるＬＥＤからなる。そのようなＬＥＤとしては、例えば、ピーク波長が４０５ｎｍのブルーレイＤＶＤ用のＬＥＤが挙げられる。反射板１２は、光源１１からの光を光学シート１３側に戻すものであり、反射、散乱、拡散などの機能を有している。反射板１２は、例えば、発泡ＰＥＴ（ポリエチレンテレフタレート）などによって構成されている。反射板１２の利用により、光源１１からの光を効率的に利用することができる。光学シート１３は、光源１１からの光の面内輝度分布を均一化したり、光源１１からの光の発散角や偏光状態を所望の範囲内に調整したりするものである。光学シート１３は、例えば、図示しないが、拡散板、拡散シート、プリズムシート、反射型偏光素子、位相差板などから選ばれた１または複数の部材によって構成されている。なお、バックライト１０は、例えば、図２（Ｂ）に示したように、導光板１４の側面に光源１１を設けたエッジライト型となっていてもよい。この場合には、光源１１は、例えば、導光板１４の側面に沿って一列に配列された複数の点状光源からなる。このとき、各点状光源は、３８０ｎｍ〜４２０ｎｍの波長帯の光を発するものからなり、上述したようなＬＥＤからなる。
【００３０】
（液晶表示パネル２０）
液晶表示パネル２０は、複数の画素２０Ａが表示領域１Ａ内に２次元配置された透過型の表示パネルであり、映像信号に応じて各画素２０Ａを駆動することによって画像を表示するものである。なお、図１（Ｂ）には、１つの画素２０Ａだけが例示されている。液晶表示パネル２０は、例えば、図１（Ｂ）に示したように、所定の間隙を介して互いに対向する基板３０，４０と、基板３０と基板４０との間に設けられた液晶層５０およびシール材６０と、ドライバＩＣ７０とを備えている。なお、基板３０が本発明の「第１基板および第１偏光板」を積層したものの一具体例に相当し、基板４０が本発明の「第２基板および第２偏光板」を積層したものの一具体例に相当する。
【００３１】
液晶層５０は、バックライト１０からの光を画素２０Ａごとに透過または遮断する機能を有している。液晶層５０は、例えば、ＴＮ（Twisted Nematic）モード、ＳＴＮ（Super-twisted nematic）モード、ＥＣＢ（ Electrically Controlled Birefringence）モード、ＶＡ（Vertical Alignment）モードあるいはＭＶＡ（Multi-domain Vertical Alignment）モードで駆動するいわゆる縦電界方式の液晶分子を含んでいる。なお、液晶層５０は、例えば、ＩＰＳ（In Plane Switching）モード、ＦＦＳ（Fringe Field Switching）モード等の横電界方式の液晶分子を含んでいてもよい。シール材６０は、液晶層５０を封止するとともに、基板３０および基板４０を互いに貼り合わせるものである。シール材６０は、例えば、図１（Ａ）に示したように、液晶層５０に使用される液晶を注入する注入口６０Ａを有している。シール材６０によって区画された領域が、表示領域１Ａに対応しており、シール材６０によって区画された領域の外側の領域が、非表示領域１Ｂに対応している。なお、注入口６０Ａは封止材（図示せず）により封止されている。ドライバＩＣ７０は、各画素２０Ａを駆動するものであり、例えば、図１（Ａ）に示したように、基板３０の表面上に実装されている。
【００３２】
図３は、液晶表示パネル２０の断面構成をより具体的に表したものであり、具体的には、各画素２０Ａの断面構成の一例を表したものである。各画素２０Ａは、例えば、図３に示したように、赤色、緑色、青色の三原色を発光する３つのサブピクセル２０Ｒ，２０Ｇ，２０Ｂで構成されている。ここで、サブピクセル２０Ｒが赤色の光を発するものであり、後述する赤色蛍光体層４５Ｒによる発光によって赤色の光を発する自発光タイプのサブピクセルである。また、サブピクセル２０Ｇが緑色の光を発するものであり、後述する緑色蛍光体層４５Ｇによる発光によって緑色の光を発する自発光タイプのサブピクセルである。また、サブピクセル２０Ｂが青色の光を発するものであり、後述する青色蛍光体層４５Ｂによる発光によって青色の光を発する自発光タイプのサブピクセルである。なお、各画素２０Ａは、３つのサブピクセル２０Ｒ，２０Ｇ，２０Ｂとは異なる複数のサブピクセルからなっていてもよい。
【００３３】
基板３０は、例えば、図３に示したように、偏光板３１、駆動基板３２および配向膜３３を液晶層５０とは反対側から順に含むものである。基板４０は、例えば、図３に示したように、配向膜４１、透明基板４２、偏光板４３および蛍光素子４８を液晶層５０側から順に含むものである。
【００３４】
ここで、偏光板３１は、液晶表示パネル２０の光入射側に配置された偏光板であり、偏光板４３は液晶表示パネル２０の光射出側に配置された偏光板である。偏光板３１，４３は、光学シャッターの一種であり、ある一定の振動方向の光（偏光）のみを通過させる。偏光板３１，４３はそれぞれ、例えば、偏光軸が互いに所定の角度だけ（例えば９０度）異なるように配置されており、これによりバックライト１０からの光が液晶層５０を介して透過し、あるいは遮断されるようになっている。
【００３５】
偏光板３１の透過軸（図示せず）の向きは、バックライト１０から射出された光を透過可能な範囲内に設定される。例えば、バックライト１０から射出される光が垂直偏光光である場合には、偏光板３１の透過軸は垂直方向を向いている。また、例えば、バックライト１０から射出される光が水平偏光光である場合には、偏光板３１の透過軸は水平方向を向いている。なお、バックライト１０から射出される光は直線偏光光である場合に限られるものではなく、円偏光や、楕円偏光、無偏光であってもよい。
【００３６】
偏光板４３の透過軸（図示せず）の向きは、液晶層５０を透過した光を透過可能な範囲内に設定される。例えば、偏光板３１の透過軸の向きが水平方向となっている場合には、偏光板４３の透過軸は偏光板３１の透過軸と直交する方向（垂直方向）を向いている。偏光板３１の透過軸の向きが垂直方向となっている場合には、偏光板４３の透過軸は偏光板３１の透過軸と直交する方向（水平方向）を向いている。
【００３７】
駆動基板３２は、可視光に対して透明な基板上に、信号線や走査線などの各種配線、スイッチング素子としてのＴＦＴ（Thin Film Transistor）、ＩＴＯ（Indium Tin Oxide）やＩＺＯ（Indium Zinc Oxide）等の透明導電性材料からなる画素電極、電極間絶縁膜などを備えたものである。ＴＦＴおよび画素電極は、画素２０Ａごとに設けられており、画素電極は、画素２０Ａごとの電極として機能する。透明基板４２は、例えば、可視光に対して透明な基板上に、ＩＴＯやＩＺＯ等の透明導電性材料からなる共通電極などを備えたものである。共通電極は、当該共通電極および画素電極に印加された電圧によって生じる電界によって液晶層５０を部分的に（画素２０Ａごとに）駆動するために設けられたものである。なお、液晶表示パネル２０が横電界方式となっている場合には、上述の共通電極が透明基板４２には形成されておらず、駆動基板３２に形成されている。
【００３８】
配向膜３３，４１は、液晶層５０に接しており、液晶層５０に含まれる液晶分子の配向を規制するものである。配向膜３３，４１は、例えば、ポリイミドなどの高分子材料をラビング処理することにより形成されたものである。
【００３９】
ところで、液晶表示パネル２０には、バックライト１０からの光を、例えば、赤、緑および青の三原色にそれぞれ色分離するカラーフィルタは設けられておらず、その代わりに、上述した蛍光素子４８が設けられている。蛍光素子４８は、液晶表示パネル２０の光射出側に設けられており、例えば、図３に示したように、蛍光体層４５を有している。蛍光素子４８は、さらに、蛍光体層４５を間にして互いに対向するフィルタ層４４，４７を有している。なお、フィルタ層４４，４７は、必要に応じて省略することが可能である。
【００４０】
蛍光体層４５は、母材の一部を付活剤で置換することにより形成された蛍光体を含んで構成されており、例えば、硫化物またはリン酸塩を母材とし、希土類元素を付活剤として含む蛍光体を含んで構成されている。蛍光体層４５は、例えば、そのような蛍光体の粉末をエポキシ樹脂またはシリコーン樹脂などの樹脂に混合して構成されたものである。蛍光体層４５は、例えば、上述した蛍光体の粉末をエポキシ樹脂またはシリコーン樹脂などの樹脂に混合し薄膜状にしたものを、熱または紫外線などにより硬化し、それをパターニングすることにより形成されたものである。なお、蛍光体層４５は、例えば、上述した蛍光体の粉末をエポキシ樹脂またはシリコーン樹脂などの樹脂に混合したものを、スクリーン印刷、インクジェット印刷またはスプレイ塗布法などにより部分的に塗布し、それを熱または紫外線などにより硬化することにより形成されたものであってもよい。
【００４１】
蛍光体層４５は、サブピクセル２０Ｒ，２０Ｇ，２０Ｂごとに蛍光体材料を異ならせた赤色蛍光体層４５Ｒ、緑色蛍光体層４５Ｇおよび青色蛍光体層４５Ｂを有している。赤色蛍光体層４５Ｒは、サブピクセル２０Ｒに対応して設けられており、緑色蛍光体層４５Ｇは、サブピクセル２０Ｇに対応して設けられており、青色蛍光体層４５Ｂは、サブピクセル２０Ｂに対応して設けられている。赤色蛍光体層４５Ｒは、例えば、Ｅｕ付活硫化物系の赤色蛍光体を含んで構成されている。緑色蛍光体層４５Ｇは、例えば、Ｅｕ付活硫化物系の緑色蛍光体を含んで構成されている。青色蛍光体層４５Ｂは、例えば、Ｅｕ付活リン酸塩系の青色蛍光体を含んで構成されている。
【００４２】
蛍光体層４５は、３８０ｎｍ〜４２０ｎｍの波長帯の光を吸収し、吸収した光の波長よりも大きな波長の光を発光するようになっている。赤色蛍光体層４５Ｒは、３８０ｎｍ〜４２０ｎｍの波長帯の光を吸収し、赤色帯の波長の光を発光するようになっている。緑色蛍光体層４５Ｇは、３８０ｎｍ〜４２０ｎｍの波長帯の光を吸収し、緑色帯の波長の光を発光するようになっている。青色蛍光体層４５Ｂは、３８０ｎｍ〜４２０ｎｍの波長帯の光を吸収し、青色帯の波長の光を発光するようになっている。
【００４３】
蛍光体層４５は、例えば、図４に示したように、単層構造となっていてもよいし、例えば、図５（Ａ），（Ｂ）に示したように、積層構造となっていてもよい。なお、図４、図５（Ａ），（Ｂ）は、蛍光素子４８の断面構成の一例をサブピクセル２０Ｒ，２０Ｇ，２０Ｂ単位で表したものである。ここで、蛍光体層４５が単層構造となっている場合には、蛍光体層４５の厚さ方向の内部構成が連続的に変化している。蛍光体層４５が積層構造となっている場合には、蛍光体層４５の厚さ方向の内部構成が層ごとに段階的に変化している。なお、蛍光体層４５の厚さ方向の内部構成については、後に詳述する。
【００４４】
蛍光素子４８は、さらに、例えば、図３に示したように、赤色蛍光体層４５Ｒと緑色蛍光体層４５Ｇとの間や、緑色蛍光体層４５Ｇと青色蛍光体層４５Ｂとの間、さらには、青色蛍光体層４５Ｂと赤色蛍光体層４５Ｒとの間に、遮光層４６を有している。遮光層４６は、それぞれ隣り合う蛍光体層が発光したときに混色が生じるのを抑制し、色純度を向上させるものである。なお、遮光層４６は、蛍光体層４５と同一層内に設けられていてもよいし、蛍光体層４５とは異なる層内に設けられていてもよい。また、遮光層４６は、必要に応じて省略することも可能である。
【００４５】
フィルタ層４４，４７は、蛍光体層４５を間にして互いに対向するように配置されたものである。フィルタ層４４，４７は、各サブピクセル２０Ｒ，２０Ｇ，２０Ｂにおいて共通して設けられている。フィルタ層４４は、蛍光体層４５との関係で、液晶層５０側（光入射側）に配置されたものであり、３８０ｎｍ〜４２０ｎｍの波長帯の光を透過させ、蛍光体層４５で発光した光を反射するバンドパスフィルタである。一方、フィルタ層４７は、蛍光体層４５との関係で、液晶層５０とは反対側（光射出側）に配置されたものであり、３８０ｎｍ〜４２０ｎｍの波長帯の光を反射または吸収し、蛍光体層４５で発光した光を透過するバンドパスフィルタである。
【００４６】
次に、蛍光体層４５の厚さ方向の内部構成について説明する。
【００４７】
通常、蛍光体の光吸収率は、例えば、図６（Ａ）に示したように、付活剤の蛍光体内の濃度が大きくなるに従って大きくなる。一方、蛍光体の内部量子効率は、例えば、図６（Ｂ）に示したように、付活剤の蛍光体内の濃度が大きくなるに従って小さくなる。なお、蛍光体の光吸収率と蛍光体の内部量子効率とを互いに掛け合わせた値が蛍光体の外部量子効率となることから、蛍光体の外部量子効率は、例えば、図６（Ｃ）に示したように、付活剤の蛍光体内の濃度が大きくなるにつれて大きくなり、付活剤の蛍光体内の濃度が所定の大きさとなったときに最も大きくなり、付活剤の蛍光体内の濃度がさらに大きくなるにつれて小さくなる。つまり、付活剤の蛍光体内の濃度には、蛍光体の外部量子効率が最大となる濃度が存在する。
【００４８】
従来の手法では、通常、付活剤の蛍光体内の濃度は、蛍光体の外部量子効率が最大となるように設定される。これは、このようにした方が、蛍光体層から取り出すことのできる光量を最大化することができると考えられていたためである。しかし、実際には、蛍光体層に含まれる蛍光体の濃度および粒径ならびに蛍光体層の厚さによって、蛍光体層から取り出すことのできる光量が大きく変動する。例えば、特許文献４の段落００８８等に記載されているように、蛍光体層に含まれる蛍光体の濃度が中程度となっている場合には、蛍光体層が厚くなるにつれて、蛍光体層から取り出すことのできる光量が徐々に飽和し、蛍光体層に含まれる蛍光体の濃度が高い場合には、蛍光体層が厚くなるにつれて、蛍光体層から取り出すことのできる光量が徐々に低下する。そのため、従来の手法では、蛍光体層の光取出効率を大きくすることが容易ではなかった。
【００４９】
一方、本実施の形態の蛍光体層４５では、蛍光体層の光取出効率を大きくすることが容易であり、付活剤の使用量をできるだけ少なくした場合であっても、蛍光体層４５全体としての光取出効率の低下を最低限に抑えるか、または、付活剤の使用量を今までと同程度とした場合と同程度の光取出効率を実現することができるようになっている。具体的には、蛍光体層４５では、蛍光体層４５の厚さ方向において、付活剤の蛍光体内の濃度が不均一となっている。
【００５０】
例えば、図６（Ｃ）に示したように、蛍光体の外部量子効率が最も大きくなるときの付活剤の蛍光体内の濃度をＡとし、濃度Ａよりも小さな濃度をＢとし、濃度Ａよりも大きな濃度をＣとする。なお、付活剤の蛍光体内の濃度がＣとなっているときの蛍光体の外部量子効率が、付活剤の蛍光体内の濃度がＢとなっているときの蛍光体の外部量子効率よりも大きいものとする。このとき、蛍光体層４５は、付活剤の蛍光体内の濃度が光入射側において濃度Ａとなっており、光射出側において濃度Ｂとなっていることが好ましい。なお、蛍光体層４５は、付活剤の蛍光体内の濃度が光入射側において濃度Ｃとなっており、光射出側において濃度Ｂとなっていてもよい。いずれにおいても、蛍光体層４５は、光射出側の方が光入射側の方よりも蛍光体内の付活剤の濃度が低くなるように構成されている。
【００５１】
蛍光体層４５は、例えば、光入射面（例えば、蛍光体層４５とフィルタ層４４との界面）において蛍光体内の付活剤の濃度が最も高くなるとともに光射出面（例えば、蛍光体層４５とフィルタ層４７との界面）において蛍光体内の付活剤の濃度が最も低くなるように構成されている。ここで、蛍光体層４５が単層構造となっている場合には、蛍光体層４５は、例えば、光入射面から光射出面に向かうにつれて蛍光体内の付活剤の濃度が連続して変化（減少）するような構成となっている。また、蛍光体層４５が積層構造となっている場合には、蛍光体層４５は、例えば、蛍光体内の付活剤の濃度が互いに異なる複数の層を積層して構成されている。例えば、図５（Ａ）に示したように、蛍光体層４５が２つの層４５ａ、４５ｂの積層体となっている場合に、光射出側の層４５ｂにおける蛍光体内の付活剤の濃度が光入射側の層４５ａにおける蛍光体内の付活剤の濃度よりも低くなっている。また、例えば、図５（Ｂ）に示したように、蛍光体層４５が５つの層４５ｃ〜４５ｇの積層体となっている場合に、蛍光体内の付活剤の濃度が、４５ｃ、４５ｄ、４５ｅ、４５ｆ、４５ｇの順に低くなっている。なお、蛍光体内の付活剤の濃度が複数の層で同一となっていてもよい。例えば、蛍光体内の付活剤の濃度が４５ｃ、４５ｄ、４５ｅにおいて同一となっており、かつ４５ｅ、４５ｆ、４５ｇの順に低くなっていてもよい。
【００５２】
ところで、蛍光体層４５は、上述したような濃度分布に起因して、蛍光体層４５の厚さ方向において、蛍光体の光吸収率および蛍光体の内部量子効率が不均一となっている。具体的には、蛍光体層４５は、図４、図５（Ａ），（Ｂ）に示したように、所定の波長帯の光に対して、光入射側の方が光射出側の方よりも蛍光体の光吸収率が高く、かつ蛍光体の内部量子効率が低くなるように構成されている。
【００５３】
蛍光体層４５は、例えば、光入射面（例えば、蛍光体層４５とフィルタ層４４との界面）において蛍光体の光吸収率が最も高くなるとともに光射出面（例えば、蛍光体層４５とフィルタ層４７との界面）において蛍光体の内部量子効率が最も高くなるように構成されている。ここで、蛍光体層４５が単層構造となっている場合には、蛍光体層４５は、例えば、光入射面から光射出面に向かうにつれて蛍光体の光吸収率および蛍光体の内部量子効率が連続して変化するような構成となっている。具体的には、例えば、蛍光体層４５は、例えば、光入射面から光射出面に向かうにつれて蛍光体の光吸収率が連続して変化（減少）するとともに、光入射面から光射出面に向かうにつれて蛍光体の内部量子効率が連続して変化（増加）するような構成となっている。また、蛍光体層４５が積層構造となっている場合には、蛍光体層４５は、例えば、蛍光体の光吸収率および蛍光体の内部量子効率が互いに異なる複数の層を積層して構成されている。例えば、図５（Ａ）に示したように、蛍光体層４５が２つの層４５ａ、４５ｂの積層体となっている場合に、光入射側の層４５ａにおける蛍光体の光吸収率が光射出側の層４５ｂにおける蛍光体の光吸収率よりも高くなっており、かつ光射出側の層４５ｂにおける蛍光体の内部量子効率が光入射側の層４５ａにおける蛍光体の内部量子効率よりも高くなっている。また、例えば、図５（Ｂ）に示したように、蛍光体層４５が５つの層４５ｃ〜４５ｇの積層体となっている場合に、蛍光体の光吸収率は、４５ｇ、４５ｆ、４５ｅ、４５ｄ、４５ｃの順に高くなっており、蛍光体の内部量子効率は、４５ｃ、４５ｄ、４５ｅ、４５ｆ、４５ｇの順に高くなっている。なお、蛍光体の光吸収率が複数の層で同一となっていたり、蛍光体の内部量子効率が複数の層で同一となっていたりしてもよい。例えば、蛍光体の光吸収率が４５ｃ、４５ｄ、４５ｅにおいて同一となっており、かつ４５ｇ、４５ｆ、４５ｅの順に高くなっていてもよい。同様に、例えば、蛍光体の内部量子効率が４５ｃ、４５ｄ、４５ｅにおいて同一となっており、４５ｅ、４５ｆ、４５ｇの順に高くなっていてもよい。
【００５４】
次に、蛍光素子４８の作用および効果について、比較例に係る蛍光素子の作用と対比して説明する。
【００５５】
図７は、蛍光体層１００に対して所定の入射光Ｌ1が入射したときに、蛍光体層１００から出てくる光の種類を模式的に表したものである。なお、入射光Ｌ1は、ピーク波長が３８０ｎｍ〜４２０ｎｍの範囲内にあるＬＥＤ光である。図７において、発光光Ｌ2は、入射光Ｌ1のうち蛍光体層１００で吸収されたのち、波長変換されて入射光Ｌ1の進行方向に出力された光を指している。また、図７において、発光光Ｌ3は、入射光Ｌ1のうち蛍光体層１００で吸収されたのち、波長変換されて入射光Ｌ1の進行方向とは反対側に出力された光を指している。また、図７において、透過光Ｌ4は、入射光Ｌ1のうち蛍光体層１００で吸収されずに入射光Ｌ1の進行方向に出力された光を指している。また、図７において、戻り光Ｌ5は、入射光Ｌ1のうち蛍光体層１００で反射、散乱されることにより入射光Ｌ1の進行方向とは反対側に出力された光を指している。
【００５６】
図８（Ａ）〜（Ｃ）は、比較例に係る蛍光素子の作用について模式的に表したものである。図８（Ａ）は、付活剤の蛍光体内の濃度が厚さ方向において均一となっている蛍光体層１４５のみからなる蛍光素子の作用について模式的に表したものである。図８（Ｂ）は、蛍光体層１４５の光入射側にフィルタ層４４が設けられた蛍光素子の作用について模式的に表したものである。図８（Ｃ）は、蛍光体層１４５の光入射側にフィルタ層４４が設けられ、蛍光体層１４５の光射出側にフィルタ層４７が設けられた蛍光素子の作用について模式的に表したものである。図９は、本実施の形態の表示装置１に使用されている蛍光素子４８の作用について模式的に表したものである。
【００５７】
図８（Ａ）の蛍光素子では、入射光Ｌ1が蛍光体層１４５に入射すると、入射光Ｌ1の一部は、蛍光体層１４５内に分布する蛍光体粒子１４５Ａに吸収され、蛍光体粒子１４５Ａが可視光領域の所定の色の可視光を発光する。この可視光は蛍光体粒子１４５Ａに対して等方的に広がっていくので、入射光Ｌ1の進行方向に進む可視光（発光光Ｌ2）のほかに入射光Ｌ1の進行方向とは反対側に進む可視光（発光光Ｌ3）も存在する。入射光Ｌ1の一部は、蛍光体粒子１４５Ａに吸収されずに蛍光体層１４５を透過し、入射光Ｌ1の進行方向に出力されたり、蛍光体粒子１４５Ａによって反射、散乱されることにより入射光Ｌ1の進行方向とは反対側に出力されたりする。このとき、蛍光体粒子１４５Ａに吸収されなかった光は、観測者に観測されることなく、光のロスとして無駄な発光となる。
【００５８】
図８（Ｂ）の蛍光素子では、入射光Ｌ1がフィルタ層４４を介して蛍光体層１４５に入射すると、入射光Ｌ1の一部は、蛍光体層１４５内に分布する蛍光体粒子１４５Ａに吸収され、蛍光体粒子１４５Ａが可視光領域の所定の色の可視光を発光する。また、入射光Ｌ1のうち、蛍光体粒子１４５Ａによって反射、散乱されることにより入射光Ｌ1の進行方向とは反対側に向かう光（戻り光Ｌ5）は、フィルタ層４４での反射により蛍光体層１４５に戻される。その結果、反射光は蛍光体粒子１４５Ａに吸収され、蛍光体粒子１４５Ａが可視光領域の所定の色の可視光を発光する。このように、図８（Ｂ）の蛍光素子では、戻り光Ｌ5も所定の色の可視光に変換されるので、その分だけ光のロスが減少する。
【００５９】
図８（Ｃ）の蛍光素子では、入射光Ｌ1がフィルタ層４４を介して蛍光体層１４５に入射すると、入射光Ｌ1の一部は、蛍光体層１４５内に分布する蛍光体粒子１４５Ａに吸収され、蛍光体粒子１４５Ａが可視光領域の所定の色の可視光を発光する。また、入射光Ｌ1のうち、蛍光体粒子１４５Ａによって反射、散乱されることにより入射光Ｌ1の進行方向とは反対側に向かう光（戻り光Ｌ5）は、フィルタ層４４での反射により蛍光体層１４５に戻される。その結果、反射光は蛍光体粒子１４５Ａに吸収され、蛍光体粒子１４５Ａが可視光領域の所定の色の可視光を発光する。さらに、入射光Ｌ1のうち、蛍光体粒子１４５Ａに吸収されずに蛍光体層１４５を透過し、入射光Ｌ1の進行方向に出力された光（透過光Ｌ4）は、フィルタ層４７での反射により蛍光体層１４５に戻される。その結果、反射光は蛍光体粒子１４５Ａに吸収され、蛍光体粒子１４５Ａが可視光領域の所定の色の可視光を発光する。このように、図８（Ｃ）の蛍光素子では、戻り光Ｌ5だけでなく透過光Ｌ4も所定の色の可視光に変換されるので、その分だけ光のロスがさらに減少する。
【００６０】
一方、本実施の形態の蛍光素子４８（図９の蛍光素子４８）では、蛍光体層４５において、光射出側の方が光入射側の方よりも蛍光体内の付活剤の濃度が低くなっている。また、蛍光体層４５において、光入射面側の部位が光射出面側の部位よりも、蛍光体の光吸収率が高くなっており、かつ蛍光体の内部量子効率が低くなっている。そのため、戻り光Ｌ5および透過光Ｌ4が所定の色の可視光に変換されるだけでなく、蛍光体層４５内において入射光Ｌ1の進行方向に向かう所定の色の可視光が蛍光体層４５のうち光射出側に分布する蛍光体粒子４５Ａによって進行を阻害される割合が少なくなっている。さらに、蛍光体層４５に入射した光が蛍光体層４５の光射出側にまで透過してくる量が多くなるので蛍光体層４５の光射出側の部位での発光量が多くなる。加えて、蛍光体層４５のうち光射出側で蛍光体粒子４５Ａによって反射、散乱されることにより入射光Ｌ1の進行方向とは反対側に向かう光（戻り光Ｌ5）が、蛍光体層４５のうち光入射側で、光吸収率の高い蛍光体粒子４５Ａに吸収され、蛍光体粒子４５Ａが可視光領域の所定の色の可視光を発光する。その結果、付活剤の使用量を、付活剤濃度が外部量子効率が最大となる量に設定されているときの付活剤の使用量よりも抑えつつ、光取出効率の低下を最低限に抑えるか、または、付活剤の使用量を、付活剤濃度が外部量子効率が最大となる量に設定されているときの付活剤の使用量と同程度とした場合と同程度の光取出効率を実現することができる。
【００６１】
＜２．変形例＞
上記実施の形態では、蛍光素子４８は、バックライト１０からの光を変調する液晶層５０を含んだ液晶パネル２０内に設けられていたが、例えば、図１０に示したように、単独で、バックライト１０の直上に設けられていてもよい。この場合、蛍光素子４８はバックライト１０とともに、照明装置２を構成することになる。
【００６２】
また、上記実施の形態では、フィルタ層４４，４７が蛍光体層４５に直接に接している場合が例示されていたが、蛍光体層４５に直接に接していなくてもよい。例えば、図示しないが、フィルタ層４４，４７がともに、ガラス板や樹脂フィルムなどの基材の上に形成され、基材を介して蛍光体層４５に接するようになっていてもよい。
【００６３】
＜３．適用例＞
次に、上記実施の形態およびその変形例に係る表示装置１の一適用例について説明する。図１１は、本適用例に係る電子機器３の概略構成の一例を表す斜視図である。電子機器３は、携帯電話機であり、例えば、図１１に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器３は、表示装置１１３の動作を制御するための制御部（図示せず）を備えている。この制御部は、電子機器３全体の制御を司る制御部の一部として、またはその制御部とは別に、本体部１１１または表示体部１１２の内部に設けられている。
【００６４】
表示装置１１３は、上記実施の形態に係る表示装置１と同一の構成を備えている。これにより、表示装置１１３において、低消費電力で、高輝度が得られる。
【００６５】
なお、上記実施の形態およびその変形例に係る表示装置１を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【符号の説明】
【００６６】
１…表示装置、１Ａ…表示領域、１Ｂ…非表示領域、２…照明装置、３…電子機器、１０…バックライト、１１…光源、１２…反射板、１３…光学シート、１４…導光板、２０…液晶表示パネル、２０Ａ…画素、３０，４０…基板、３１，４３…偏光板、３２…駆動基板、３３，４１…配向膜、４４，４７…フィルタ層、４５，１００，１４５…蛍光体層、４５Ａ，１４５Ａ…蛍光体粒子、４５ａ〜４５ｇ…層、４５Ｒ…赤色蛍光体層、４５Ｇ…緑色蛍光体層、４５Ｂ…青色蛍光体層、４６…遮光層、４８…蛍光素子、５０…液晶層、６０…シール材、６０Ａ…注入口、７０…ドライバＩＣ、１１１…本体部、１１２…表示体部、１１３…表示装置、１１４…表示画面、１１５…操作ボタン、１１６…送話部、１１７…受話部、Ｌ1…入射光、Ｌ2，Ｌ3…発光光、Ｌ4…透過光、Ｌ5…戻り光。
【図１】
0005679426.tif 000002
【図２】
0005679426.tif 000003
【図３】
0005679426.tif 000004
【図４】
0005679426.tif 000005
【図５】
0005679426.tif 000006
【図６】
0005679426.tif 000007
【図７】
0005679426.tif 000008
【図８】
0005679426.tif 000009
【図９】
0005679426.tif 000010
【図１０】
0005679426.tif 000011
【図１１】
0005679426.tif 000012